(57)【要約】【課題】自転車の子供用補助椅子の専用クッションであって、使用者の膝裏部又は腿裏部を保護できるものを提供する。【解決手段】自転車の子供用補助椅子の座面と略同一又はやや小さい大きさを有するクッション10である。このクッションを補助椅子の座面に載置した際の前方端の両側部分に膨出部20, 20を形成する。この膨出部が補助椅子を使用する使用者の膝裏部又は腿裏部に適合する。クッションの平面視形状は略ハート形状である。クッションの内部には低反発ウレタンフォームを充填する。クッションの両側縁部に補助椅子に取り付けるための伸縮部材25の両端を縫着する。これによって伸縮部材を裏面側又は表面側の何れの側にも配置させることができるため、表側及び裏側の何れの側をも上面側に配置できる。更にクッションの側縁部の適宜位置に取付用の紐状部材を２本取り付ける。【選択図】図１
0003111097.tif 000002
【実用新案登録請求の範囲】
【請求項１】
自転車に取り付け固定する子供用補助椅子の座面に載置できるクッション(10)であって、かかるクッション(10)を補助椅子の座面に載置した際の前方端の両側部分を膨出して膨出部(20, 20)を形成し、かかる膨出部(20, 20)が補助椅子を使用する使用者の膝裏部又は腿裏部を保護できる自転車の補助椅子用クッション。
【請求項２】
請求項１において、クッション(10)の平面視形状が略ハート形状を有し、このハート形状の２つの湾曲膨出部(20, 20)が使用者の膝裏部又は腿裏部を保護できることを特徴とする自転車の補助椅子用クッション。
【請求項３】
請求項１又は２において、クッション(10)の内部に低反発ウレタンフォームを充填したことを特徴とする自転車の補助椅子用クッション。
【請求項４】
請求項１乃至３の何れかにおいて、補助椅子への取付部材として帯状又は紐状の伸縮部材(25)を使用し、かかる伸縮部材(25)の両端部をクッション(10)の両側縁部に取り付けることによって伸縮部材(25)とクッション(10)との間に挿通部が形成され、この挿通部に補助椅子のシート部材等を挿通させることができ、且つ伸縮部材(25)をクッション(10)の裏面側又は表面側の何れの側にも配置させることができることを特徴とする自転車の補助椅子用クッション。
【請求項５】
請求項４において、クッション(10)の側縁部の適宜位置に取付用の紐状部材を少なくとも２本更に取り付けたことを特徴とする自転車の補助椅子用クッション。
【考案の詳細な説明】
【技術分野】
【０００１】
本考案は、自転車の後部荷台又はハンドルに取り付け固定することができる子供用補助椅子の座面に載置して使用するクッションに関するものである。
【背景技術】
【０００２】
従来の自転車に取り付けて固定することができる子供用補助椅子としては、後部座席に固定するタイプのものと、ハンドルに固定するタイプの二種類が存在している。
図3は、後部座席に固定できるタイプの補助椅子の全体概略図である。この種のタイプの補助椅子３０は、金属製線条材によって構成されているが、その座面３１を自転車の後部荷台にボルト・ナット等により固定される。
この補助椅子３０は、前記座面３１の後方端から上方に適宜高さ分だけ延長する背もたれ部３２と、座面３１の左右両側から上方に起立し、使用者両脇腹部を囲繞する側面部３３、３３と、座面３１の前方端から上方に起立する前面部３４と、前面部３４の上端には把持部３５が設けられ、座面３１の両側前方端には下方に延長する足載せ支持部３６と、この足載せ支持部３６の下端に形成された足載せ部３７とから構成されている。  
【０００３】
更に、このタイプの補助椅子には、その背もたれ部３２と座面３１の表面を被覆するシート部材４０が設けられている。このシート部材４０は、背もたれ部３２の上縁枠体３２ｆに取り付けられており、その材質は、表面の塩ビシート内部にウレタン等のクッション部材が充填されている。
図示はしていないが、自転車のハンドルに固定するタイプの補助椅子についても、上記後部座席取り付けタイプとその構成はほぼ同様であるが、ハンドルへの取付手段が前記前面部３４の部分に設けられている。また、前記座面３１、背もたれ部３２及び側面部３３が、通常硬質合成樹脂製の一体成形物から形成されているが、前記後部荷台固定用補助椅子同様金属製の線条材から形成されているものも存在する。更に、シート部材は、設けられているものと、設けられていないタイプのものが存在している。
【０００４】
上記従来の子供用補助椅子においては、後部荷台固定用補助椅子であれ、或いは、ハンドル固定用補助椅子であれ、その何れのものにおいてもシート部材がすぐに痛んでしまうため、通常は、これら補助椅子に既成の四角い座布団を敷いて利用するのが常であった。
このように、自転車に取り付け固定する補助椅子に関しては、それ専用の座面クッションというものはこれまで存在していなかったのが現状である。
【考案の開示】
【考案が解決しようとする課題】
【０００５】
本考案においては、上記実情を踏まえ、自転車用の子供用補助椅子の座面に載置して使用する専用のクッションの提供をその課題としている。
そして、従来の子供用補助椅子においては、その座面と背もたれ部にシート部材が設けられていたのであるが、その使用に際し、使用者の膝裏部又は腿裏部に座面の縁部枠体が当たり、これらの部分が痛くなる、或いは冷たいという問題があった。
そこで、本考案においては、専用のクッションを提供するのみでなく、使用者の膝裏部又は腿裏部が痛くならないような、或いは冷たくない専用のクッションを提供することをその課題としている。
しかも、このクッションは、後部荷台用補助椅子ばかりでなく、ハンドル部に固定するタイプの補助椅子にも適用できるものでなければならないものである。
【課題を解決するための手段】
【０００６】
上記課題を解決するために、本考案の第１のものは、自転車に取り付け固定する子供用補助椅子の座面に載置できるクッションであって、かかるクッションを補助椅子の座面に載置した際の前方端の両側部分を膨出して膨出部を形成し、かかる膨出部が補助椅子を使用する使用者の膝裏部又は腿裏部を保護できる自転車の補助椅子用クッションである。
ここで、クッションを補助椅子の座面に載置した際の「前方」側とは、クッションを補助椅子に載置した際の「ハンドルの位置する方向」を意味する。
本考案の第2のものは、上記第1の考案において、クッションの平面視形状が略ハート形状を有し、このハート形状の２つの湾曲膨出部が使用者の膝裏部又は腿裏部を保護できることを特徴とする自転車の補助椅子用クッションである。
【０００７】
本考案の第3のものは、上記第1又は第2の考案において、クッションの内部に低反発ウレタンフォームを充填したことを特徴とする自転車の補助椅子用クッションである。
本考案の第4のものは、上記第1乃至第3の考案において、補助椅子への取付部材として帯状又は紐状の伸縮部材を使用し、かかる伸縮部材の両端部をクッションの両側縁部に取り付けることによって伸縮部材とクッションとの間に挿通部が形成され、この挿通部に補助椅子のシート部材等を挿通させることができ、且つ伸縮部材をクッションの裏面側又は表面側の何れの側にも配置させることができることを特徴とする自転車の補助椅子用クッションである。
本考案の第5のものは、上記第4の考案において、クッションの側縁部の適宜位置に取付用の紐状部材を少なくとも２本更に取り付けたことを特徴とする自転車の補助椅子用クッションである。
【考案の効果】
【０００８】
本考案の第1のものにおいては、補助椅子用専用クッションであるために、補助椅子の座面上にすっぽりと簡単に収まり、従来の既成の座布団の使用の場合のように、その座面に押し込んで無理やり載置するということが不要となる。
クッションの前方端の両側部分を膨出させて膨出部を形成しているために、このクッションを使用して子供が座ると、膝の裏面や、腿の裏面にクッションを介して、座面の縁部枠体に座ることとなるために、直接膝裏部又は腿裏部が座面縁部枠体に接触することがなくなり、痛みや冷たさを感じることがなくなるのである。
【０００９】
本考案の第2のものにおいては、平面視略ハート形状を呈することとなり、ハート形状の２つの湾曲膨出部が補助椅子使用者の膝裏部又は腿裏部を保護できることとなる。
本考案の第3のものにおいては、クッションの内部に低反発ウレタンフォームを充填した関係上、反発力が十分あるにも係わらず、使用者の身体の形状に密着するようにクッションが変形して、膝裏部や腿裏部を良好に保護できる。
【００１０】
本考案の第4のものにおいては、補助椅子への取付用の伸縮部材をクッションに設けたために、この伸縮部材とクッションとの間の挿通部内に補助椅子に設けられているシート部材を簡単に挿通させて、本考案に係るクッションを補助椅子のシート部材に簡単に取り付けることができ、しかも容易に補助椅子の座面からずれ落ちることもなくなる。
また、伸縮部材は、その両端部がクッションの両側縁部に取り付けられているために、これをクッションの裏面側又は表面側の何れの側にも反転させて配置させることができるので、伸縮部材が配置されていない側を表側とすることができ、表面と裏面に異なる色合い又は異なる模様を各面に施すことにより、２つの異なる種類のクッションとして使用し、楽しむことが出来る。
【００１１】
本考案の第５のものにおいては、クッションの側縁部の適宜位置に取付用の紐状部材を少なくとも２本取り付けているために、補助椅子にシート部材が設けられていないもにもおいてもその枠体に取り付けることができる。或は、シート部材が設けられているタイプのものにおいても、伸縮部材と共にこれらの紐状部材によって更に枠体にこのクッションを取り付け固定することができ、確実な固定が可能となる。
【考案を実施するための最良の形態】
【００１２】
以下、添付の図面と共に本考案の最良の実施形態について説明する。
図1は、本考案の一実施形態に係るクッションの斜視図であり、その（Ａ）が表面側の斜視図であり、その（Ｂ）が裏面側の斜視図である。尚、図１（Ａ）においては、紐状部材２６の図示を省略している。
クッション１０は、平面視略ハート形状を有している。従って、表地１１と裏地１２は、共に略ハート形状の同一の形状のものを使用し、その全周縁部で縫製される。これら表地１１と裏地１２の間には低反発ウレタンフォームが充填されている。表地１１と裏地１２は、それぞれ表面と裏面のポリエステル生地の間にネオプレンゴムを介在させた三層構造を有するものを使用している。従って、防水性や保温性の優れたものとなっている。１３が縫着部を示し、縫着部１３は、丁度表地１１と裏地１２との間の側面部の中間に位置している。クッションの厚みは３０ｍｍ程度である。
【００１３】
ハート形状を有するクッションの全体の大きさは、補助椅子の座面と略同一又はやや小さく形成すればよい。従って、市販の補助椅子の各種のタイプの座面に適合する何種類かの大きさのものを製作すればよい。
そして、本考案においては、このハート形状の2つの膨出部２０、２０が補助椅子使用者の膝裏部又は腿裏部に適合する部分となる。これら2つの膨出部２０、２０の中間の窪み部１５に、クッションを後部荷台用補助椅子に載置したときに、補助椅子の把持部を支持する前面枠体が位置し、適合するのである。
【００１４】
裏地１２の側には、クッション１０を補助椅子のシート部材に取り付けるための伸縮部材２５が設けられている。この伸縮部材２５は、略２０ｍｍ程度の巾を有するゴム帯紐からなり、側面部に位置する縫着部１３にその両端部が縫着されている。
この伸縮部材２５は、伸縮自在のため、これを拡張させて、裏地１２と伸縮部材２５との間に補助椅子のシート部材を挿通させることにより、クッション１０を補助椅子のシート部材に簡単に取り付けることができる。
【００１５】
また、この伸縮部材２５は、伸縮するが故に、これを表地１１の側に裏返すように反転させて配置させることができる。これにより、裏地の側を表側として使用することが出来る。
本実施形態では、表地１１を赤色、裏地１２を黒色とし、伸縮部材２５も黒色としている。表地及び裏地の色は全く自由であって、それぞれの面に異なる模様、或いは、異なるキャラクター図案を施すことも自由である。これにより、好みに応じて表地又は裏地を上面側にして使用することができる。
【００１６】
更に、本実施形態においては、図１（Ａ）においては図示省略しているが、図１（Ｂ）に図示した通り、クッション１０の窪み部１５の縫着部に約３０ｃｍ乃至４０ｃｍ程度の紐状部材としての括り紐２６を２本縫着している。これら２本の括り紐２６、２６によって、補助椅子の座面等の枠体に縛り付けることが可能となる。補助椅子にシート部材が設けられていないタイプのものには、この括り紐によって本クッションを補助椅子に取り付けることができるものである。勿論、シート部材が設けられている補助椅子においても、上記伸縮部材２５と括り紐２６，２６との両者によって確実にクッションが補助椅子に取り付けられる。
この実施形態では、括り紐２６、２６は、上記のようにその２本を共にクッションの窪み部１５の位置に、いわばリンゴのヘタのように、縫着しているが、これら括り紐２６、２６をそれぞれクッション１０の両側縁の縫着部１３に取り付けるのも自由である。
【００１７】
図2は、本考案に係るクッションを補助椅子の座面に載置した状態を示す模式図である。
図中左側がハンドルの位置する前方側である。
二点鎖線で示した部分が、荷台固定タイプの補助椅子の座面３１を示しており、１０が本考案のクッションである。斜線部が膨出部２０，２０を示している。
この模式図においては、後部荷台の座面３１の両側前方部分に使用者の足の部分、即ち膝裏部又は腿裏部が位置することとなる。
荷台固定タイプの補助椅子の場合には、このように補助椅子が固定される荷台を跨ぐような状態で、座面に使用者が座る関係上、図中ｋの部分に使用者の足が位置することとなる。そして、このｋの部分に対応するクッション１０の膨出部２０が使用者の膝裏部又は腿裏部を保護することとなるのである。
【００１８】
他方、ハンドル固定タイプの補助椅子の場合には、図示はしていないが、使用者の両足は、荷台固定タイプの補助椅子のように足を広げて跨ぐ必要がないために、両足は前方に向く状態となる。つまり、ハンドル固定タイプの補助椅子の場合には、図中ｈの部分に使用者の足が位置することなる。そして、このｈの部分に対応するクッション１０の膨出部２０が使用者の膝裏部または腿裏部を保護することとなるのである。
このように、本考案に係るクッションは、荷台固定タイプ補助椅子であっても、ハンドル固定タイプの補助椅子であっても、いずれのタイプにも適用できるものであり、共用可能である。
【００１９】
以上、本考案の一実施形態について説明したが、以下の通り設計変更可能である。
上記実施形態においては、クッションの平面視形状を略ハート形状としたが、この形状は、任意に設定することができ、ハート形状でなくとも実施することが出来る。
例えば、略矩形形状の前方端の両コーナー部に膨出部を形成することも可能である。
その厚みも自由に設定することが出来る。
材質に関しても全く自由であり、とりわけ充填するクッション材としては低反発ウレタンフォームが相応しいということである。
【００２０】
表地及び裏地の色、模様等も全く自由に設定することができるが、両面を異なるものとすることによって、１枚で2枚のクッションの色や模様を楽しむことができる。
補助椅子に取り付けるための伸縮部材も上記実施形態のように構成したのは、クッションの両面を使用可能としたためであるが、取付部材は、どのような構成でもよく、単に紐状部材をクッションの両側面に縫着して実施することもできる。従って、取付部材も全く自由に設計変更可能である。
また、伸縮部材に加えて別の紐状部材を共に使用して実施することも可能である。この場合には、補助椅子にシート部材が設けられていれば、伸縮部材をシート部材に簡単に取り付けることができる。シート部材が設けられていないタイプの補助椅子の場合には、紐状部材によって、補助椅子の枠体に括り付けることができるものとなる。そしてシート部材が設けられている補助椅子にこれら伸縮部材と紐状部材との両者によって、より確実にまたより堅固に本考案のクッションを補助椅子に取り付けることもできるものとなる。
【図面の簡単な説明】
【００２１】
【図１】本考案の実施形態に係るクッションの斜視図であり、その（Ａ）が表面側の斜視図であり、その（Ｂ）が裏面側の斜視図である。
【図２】本考案の実施形態に係るクッションを補助椅子の座面に載置した状態を示す模式図である。
【図３】自転車の後部座席に固定できるタイプの補助椅子の全体概略図である。
【符号の説明】
【００２２】
１０    クッション
１１    表地
１２    裏地
２０    膨出部
２５    伸縮部材
２６    括り紐（紐状部材）
【図１】
0003111097.tif 000003
【図２】
0003111097.tif 000004
【図３】
0003111097.tif 000005